(57)【要約】【課題】  扉の自動復帰が緩やかに行われる扉軸支装置を提供する。【解決手段】  回転用軸１１を備え扉Ｔが付設される物体Ｈ側に取り付け固定される固定側部材３と、回転用軸１１に軸支される状態で扉Ｔに取り付け固定される回転側部材１５とを備え、軸支が傾斜カム構造１３、２１を介して行われることで回転側部材１５が回転に伴って回転用軸１１方向に沿って移動する扉軸支装置１であり、扉Ｔ側に取り付けられて回転用軸１１の頂部１２に弾力的に当接する弾力当接体３３を備えるもの。【選択図】図３
0003225172.tif 000002
【実用新案登録請求の範囲】
【請求項１】
回転用軸を備え扉が付設される物体側に取り付け固定される固定側部材と、前記回転用軸に軸支される状態で前記扉に取り付け固定される回転側部材とを備え、前記軸支が傾斜カム構造を介して行われることで前記回転側部材が回転に伴って回転用軸方向に沿って移動する扉軸支装置であり、
前記扉側に取り付けられて前記回転用軸の頂部に弾力的に当接する弾力当接体を備えることを特徴とする扉軸支装置。
【請求項２】
前記弾力当接体の弾力調整を可能とする請求項１記載の扉軸支装置。
【考案の詳細な説明】
【技術分野】
【０００１】  この考案は、扉軸支装置に関する。
【背景技術】
【０００２】  例えば、コンビニエンスストアのレジスペースから売り場スペースに出る場合には、低く設けられた扉を押し開きそこを通過し、通過後には扉が自動復帰して閉じる。このような扉は回転用軸の軸支が傾斜カム構造を介して行われており、扉はその自重により自動復帰して閉じるようになっている。
【考案の概念】
【考案が解決しようとする課題】
【０００３】  上記の自動復帰が行われる扉では、自動復帰が強く行われた場合は傾斜カム構造部分、さらには扉の軸支装置に全体に損傷が発生する問題があり、また、閉じ時に大きな衝突音が発生する問題があった。
【課題を解決するための手段】
【０００４】  この考案は、扉の自動復帰が緩やかに行われる扉軸支装置を提供することを目的とする。
【０００５】  この考案は、回転用軸を備え扉が付設される物体側に取り付け固定される固定側部材と、前記回転用軸に軸支される状態で前記扉に取り付け固定される回転側部材とを備え、前記軸支が傾斜カム構造を介して行われることで前記回転側部材が回転に伴って回転軸方向に沿って移動する扉軸支装置であり、前記扉側に取り付けられて前記回転用軸の頂部に弾力的に当接する弾力当接体を備えることを特徴とする扉軸支装置である。
【０００６】  扉が自重により回転復帰する際、扉側に取り付けられた弾力当接体が固定側部材の回転用軸の頂部に弾力的に当接していることで、扉の回転下降が緩やかに行われる。これにより、傾斜カム構造部分における接触衝突が緩和され、衝突音が発生の発生が防止されるとともに、傾斜カム構造部分の損傷も防止され、さらに、扉軸支装置全体の損傷も防止される。
【０００７】  弾力当接体の弾力調整を可能とする構成とすることで、弾力が所定値に調整でき、扉の回転下降が安定して緩やかに行われる。
【考案の効果】
【０００８】  この考案によれば、扉の回転下降が緩やかに行われるようになり、傾斜カム構造部分における接触衝突が緩和されることで衝突音が発生の発生が防止されるとともに、傾斜カム構造部分の損傷も防止され、さらに、扉軸支装置全体の損傷も防止される。
【図面の簡単な説明】
【０００９】
【図１】  この考案の扉軸支装置の実施形態の扉閉時の斜視図
【図２】  この考案の扉軸支装置の実施形態の扉閉時の平面図
【図３】  この考案の扉軸支装置の実施形態の扉閉時の断面図
【図４】  この考案の扉軸支装置の実施形態の分解図
【図５】  この考案の扉軸支装置の実施形態の扉開時の平面図
【図６】  この考案の扉軸支装置の実施形態の扉開時の断面図
【考案を実施するための形態】
【００１０】  図１はこの考案の扉軸支装置の斜視図、図２は同平面図、図３は同断面図、図４は同分解図である。扉軸支装置１は金属製で、扉Ｔの下端を壁体（物体）Ｈの下部に支持するように用いられる。３はＬ型の固定側部材であり、壁体Ｈへの取付け部５と支持部７とからなり、取付け部５には３個の固定穴９が設けられ、固定ネジ１０のそれぞれで壁体Ｈ面に固定される。支持部７には回転用軸１１が突設固定され、その回転用軸１１の基部周囲には第１の環状カム１３が固定状態に設けられている。
【００１１】  １５はプレート状の回転側部材であり２個の固定穴１７が設けられ、固定ネジ１６のそれぞれで扉Ｔの下端面に固定される。回転側部材１５は端部に上方への膨出部１９を備え、膨出部１９内には第２の環状カム２１が装着されている。第２の環状カム２１の方形の上部１８は膨出部１９の頂部の方形の開口に篏入されて上方に突出しており、これにより回転側部材１５と第２の環状カム２１とは一体に変位する。第１の環状カム１３のカム面と第２の環状カム２１のカム面とは傾斜する状態において相対接触配置される。
【００１２】  ２３は筒状ケーシングで第２の環状カム２１の方形の上端部１８に方形の下端開口が篏合して取りけられ、筒状ケーシング２３内にはダンパー２５が装着されている。ダンパー２５の樹脂製のケーシング２７内上部にはコイルバネ２９が設けられるとともにそのコイルバネ２９に下方に付勢される作動体３１が設けられ、作動体３１の下部はケーシング２７の下端より下方に突出し、その下端部３３は第２の環状カム２１の上端に露呈する固定側部材３の回転用軸１１の上端面１２にコイルバネ２９の付勢により弾力的に当接している。筒状ケーシング２３は上部にネジ穴２４を備え、そのネジ穴２４内には調整ネジ２６が装着され、調整ネジ２６のネジ込み量が変えられることでダンパー２５高さが変化される。これにより、装置の組み立て後に回転用軸１１の頂部１２への作動体３１の下端部３３の当接弾力が所定値に調整される。上記回転側部材１５の膨出部１９とそれに連続する筒状ケーシング２３は、扉Ｔの下部に埋設配置される。
【００１３】  以下、扉軸支装置１の動作説明を行う。図１、図２、図３のそれぞれは扉Ｔが閉じられた状態を示す。なお、扉Ｔの上部は回転用軸が上下移動可能に壁体Ｈに軸支持されている。扉Ｔは押されて矢印方向に回転し、図５、図６に示すように９０度開かれた状態となる。その際、第２の環状カム２１はそのカム面が合致していた第１の環状カム１３のカム面に沿う状態で回転しながら上方に変位し、これに伴い第２の環状カム２１と一体に変位する回転側部材１５が上昇して扉Ｔも若干上昇される。
【００１４】  次に、人が通過して扉Ｔに力がかからない状態になると、扉Ｔは自重により回転復帰して、図１、図２、図３の状態に戻る。その際ダンパー２５の作動体３１の下端部３３が固定側部材３の回転用軸１１の頂部１２に弾力的に当接していることで、扉Ｔの回転下降が緩やかに行われる。これにより、第２の環状カム２１も緩やかに回転下降して、第１の環状カム１３への接触衝突が緩和され、衝突音が発生の発生が防止されるとともに、第１、第２のそれぞれの環状カム１３、２１の損傷も防止され、さらに、扉軸支装置１全体の損傷も防止される。
【符号の説明】
【００１５】  １    扉軸支装置
５    固定側部材
１１  回転用軸
１２  頂部
１３  第１の環状カム（傾斜カム構造）
１５  回転側部材
２１  第２の環状カム（傾斜カム構造）
３３  下端部（弾力当接体）
Ｔ    扉
Ｈ    物体（壁体）
【図１】
0003225172.tif 000003
【図２】
0003225172.tif 000004
【図３】
0003225172.tif 000005
【図４】
0003225172.tif 000006
【図５】
0003225172.tif 000007
【図６】
0003225172.tif 000008